(57)【要約】【課題】  長尺の支持部材と、支持部材の一端部に固定された第１流路形成部材と、支持部材の他端部に固定された第２流路形成部材とを備え、第１流路形成部材の端面と第２流路形成部材の端面とを水道メータの接続用螺子部端面に押し当てて第１流路形成部材と第２流路形成部材とで水道メータを挟持し、第１流路形成部材は、水道メータの一方の接続用螺子部端面に当接して水道メータを第２流路形成部材へ向けて押圧する筒状のスライドホルダと、スライドホルダに螺合してスライドホルダを駆動するロックナットと、支持部材の一端部に固定されスライドホルダに係合してスライドホルの回転を阻止するスライドガイドとを有する水道メータ設置ユニットであって、特許文献１の水道メータに比べて構造が単純な水道メータ設置ユニットを提供する。【解決手段】  スライドガイドの一端部がロックナットを回転可能に且つスライドホルダの移動方向に移動不能に支持する。【選択図】図２
2007322387.tif 000002
【特許請求の範囲】
【請求項１】
長尺の支持部材と、支持部材の一端部に固定された第１流路形成部材と、支持部材の他端部に固定された第２流路形成部材とを備え、第１流路形成部材の端面と第２流路形成部材の端面とを水道メータの接続用螺子部端面に押し当てて第１流路形成部材と第２流路形成部材とで水道メータを挟持し、第１流路形成部材は、水道メータの一方の接続用螺子部端面に当接して水道メータを第２流路形成部材へ向けて押圧する筒状のスライドホルダと、スライドホルダに螺合してスライドホルダを駆動するロックナットと、支持部材の一端部に固定されスライドホルダに係合してスライドホルの回転を阻止するスライドガイドとを有する水道メータ設置ユニットであって、スライドガイドの一端部はロックナットを回転可能に且つスライドホルダの移動方向に移動不能に支持することを特徴とする水道メータ設置ユニット。
【請求項２】
スライドガイドは筒体と筒体を支持部材に固定する螺子とを有し、螺子の先端部がスライドホルダに形成された縦溝に係合してスライドホルダの回転を阻止することを特徴とする水道メータ設置ユニット。
【請求項３】
スライドガイドの筒体は棒材を切削加工することにより形成されていることを特徴とする請求項２に記載の水道メータ設置ユニット。
【請求項４】
スライドガイドの他端部にエルボ継手の一端部が回転可能に連結されていることを特徴とする請求項１乃至３の何れか１項に記載の水道メータ設置ユニット。
【請求項５】
エルボ継手の一端部外周面に周溝が形成され、スライドガイドの他端部近傍内周面に周溝が形成され他端部内周面が他端へ向けて拡径する漏斗状の斜面を形成しており、エルボ継手の一端部がスライドガイドの他端部に挿入され、止め輪がエルボ継手の周溝とスライドガイドの周溝とに係合していることを特徴とする請求項４に記載の水道メータ設置ユニット。
【発明の詳細な説明】
【技術分野】
【０００１】
本発明は、水道メータ設置ユニットに関するものである。
【背景技術】
【０００２】
長尺の支持部材と、支持部材の一端部に固定された第１流路形成部材と、支持部材の他端部に固定された第２流路形成部材とを備え、第１流路形成部材の端面と第２流路形成部材の端面とを水道メータの接続用螺子部端面に押し当てて第１流路形成部材と第２流路形成部材とで水道メータを挟持し、第１流路形成部材は、水道メータの一方の接続用螺子部端面に当接して水道メータを第２流路形成部材へ向けて押圧する筒状のスライドホルダと、スライドホルダに螺合してスライドホルダを駆動するロックナットと、支持部材の一端部に固定されスライドホルダに係合してスライドホルの回転を阻止するスライドガイドとを有する水道メータ設置ユニットであって、ロックナットは第１流路形成部材に隣接して支持部材に固定されたバルブに回転可能に且つスライドホルダの移動方向に移動不能に支持されていることを特徴とする水道メータ設置ユニットが特許文献１、２に開示されている。
【特許文献１】特開平９−２８０９１９号公報
【特許文献２】特開平１１−９３２２６号公報
【発明の開示】
【発明が解決しようとする課題】
【０００３】
特許文献１、２の水道メータ設置ユニットには、水道メータからスライドホルダに働く圧接反力がスライドホルダからロックナットに伝達され、ロックナットからバルブに伝達され、バルブから支持部材に伝達されるので、支持部材にスライドガイドの固定部とバルブの固定部とを形成しなければならず、支持部材の構造が複雑化し、ひいては水道メータ設置ユニットの構造が複雑化するという問題がある。
本発明は上記問題に鑑みてなされたものであり、長尺の支持部材と、支持部材の一端部に固定された第１流路形成部材と、支持部材の他端部に固定された第２流路形成部材とを備え、第１流路形成部材の端面と第２流路形成部材の端面とを水道メータの接続用螺子部端面に押し当てて第１流路形成部材と第２流路形成部材とで水道メータを挟持し、第１流路形成部材は、水道メータの一方の接続用螺子部端面に当接して水道メータを第２流路形成部材へ向けて押圧する筒状のスライドホルダと、スライドホルダに螺合してスライドホルダを駆動するロックナットと、支持部材の一端部に固定されスライドホルダに係合してスライドホルの回転を阻止するスライドガイドとを有する水道メータ設置ユニットであって、特許文献１の水道メータに比べて構造が単純な水道メータ設置ユニットを提供することを目的とする。
【課題を解決するための手段】
【０００４】
上記課題を解決するために、本発明においては、長尺の支持部材と、支持部材の一端部に固定された第１流路形成部材と、支持部材の他端部に固定された第２流路形成部材とを備え、第１流路形成部材の端面と第２流路形成部材の端面とを水道メータの接続用螺子部端面に押し当てて第１流路形成部材と第２流路形成部材とで水道メータを挟持し、第１流路形成部材は、水道メータの一方の接続用螺子部端面に当接して水道メータを第２流路形成部材へ向けて押圧する筒状のスライドホルダと、スライドホルダに螺合してスライドホルダを駆動するロックナットと、支持部材の一端部に固定されスライドホルダに係合してスライドホルの回転を阻止するスライドガイドとを有する水道メータ設置ユニットであって、スライドガイドの一端部はロックナットを回転可能に且つスライドホルダの移動方向に移動不能に支持することを特徴とする水道メータ設置ユニットを提供する。
本発明に係る水道メータ設置ユニットにおいては、水道メータからスライドホルダに働く圧接反力は、スライドホルダ、ロックナット、スライドガイドを経て支持部材に伝達され、第１流路形成部材に隣接して配設されるバルブには伝達されない。従って、バルブ固定部を支持部材に形成する必要はなく、支持部材の構造が特許文献１、２に比べて単純化され、ひいては水道メータ設置ユニットの構造が特許文献１に比べて単純化される。
【０００５】
本発明の好ましい態様においては、スライドガイドは筒体と筒体を支持部材に固定する螺子とを有し、螺子の先端部がスライドホルダに形成された縦溝に係合してスライドホルダの回転を阻止する。
筒体を支持部材に固定する螺子の先端をスライドホルダに形成された縦溝に係合させてスライドホルダの回転を阻止することにより、筒体に回転止めのキーを形成する必要がなくなり、筒体ひいてはスライドガイドの構成を単純化できる。スライドガイドの構成が単純化されることにより、水道メータ設置ユニットの構成が単純化される。
本発明の好ましい態様においては、スライドガイドの筒体は棒材を切削加工することにより形成されている。
キーを有さない単純形状の筒体は、鋳造形成する必要がなく、棒材を切削加工することにより容易に形成することができる。
本発明の好ましい態様においては、スライドガイドの他端部にエルボ継手の一端部が回転可能に連結されている。
エルボ継手の他端部には、バルブが接続されるが、エルボが回転可能なので、前記バルブの設置自由度が高まる。
本発明の好ましい態様においては、エルボ継手の一端部外周面に周溝が形成され、スライドガイドの他端部近傍内周面に周溝が形成され他端部内周面が他端へ向けて拡径する漏斗状の斜面を形成しており、エルボ継手の一端部がスライドガイドの他端部に挿入され、止め輪がエルボ継手の周溝とスライドガイドの周溝とに係合している。
エルボ継手の周溝に止め輪を外嵌合させ、エルボ継手の一端部をスライドガイドの他端部に押し込む。止め輪はスライドガイドの他端部内周面の斜面に沿って移動する際に弾性変形して縮径し、スライドガイドの周溝まで到達すると元の径まで復元してエルボ継手の周溝とスライドガイドの周溝とに係合する。この結果、スライドガイドの他端部にエルボ継手の一端部が回転可能に連結される。エルボ継手の周溝に止め輪を外嵌合させ、エルボ継手の一端部をスライドガイドの他端部に押し込むだけで、止め輪をエルボ継手の周溝とスライドガイドの周溝とに係合せることができるので、スライドガイド他端部とエルボ継手との連結作業が容易化される。
【発明の効果】
【０００６】
本発明に係る水道メータ設置ユニットにおいては、水道メータからスライドホルダに働く圧接反力は、スライドホルダ、ロックナット、スライドガイドを経て支持部材に伝達され、第１流路形成部材に隣接して配設されるバルブには伝達されない。従って、バルブ固定部を支持部材に形成する必要はなく、支持部材の構造が特許文献１、２に比べて単純化され、ひいては水道メータ設置ユニットの構造が特許文献１に比べて単純化される。
【発明を実施するための最良の形態】
【０００７】
本発明の実施例に係る水道メータ設置ユニットを説明する。
図１に示すように、水道メータ設置ユニットＡは、板材で形成した長尺の支持部材１を備えている。支持部材１の長手方向両端部に、建物床面に当接固定される脚部１ａ、１ｂが形成され、脚部１ａ、１ｂに隣接して且つ脚部１ａ、１ｂよりも長手方向中央側に隆起部１ｃ、１ｄが形成され、隆起部１ｃ、１ｄに挟まれて長手方向中央部に陥没部１ｅが形成されている。
隆起部１ｃに第１流路形成部材２が固定され、隆起部１ｄに第２流路形成部材３が固定されている。
第１流路形成部材２の端面を水道メータＢの接続用螺子部端面Ｂ１に押し当て、第２流路形成部材３の端面を水道メータＢの接続用螺子部端面Ｂ２に押し当て、更に第１流路形成部材２の端面下部に形成した張出部と第２流路形成部材３の端面下部に形成した張出部とで水道メータＢの重量を支えて、第１流路形成部材２と第２流路形成部材３とで水道メータＢを挟持している。
【０００８】
図２に示すように、第１流路形成部材２は、水道メータＢの一方の接続用螺子部端面Ｂ１に一端部の端面が当接して水道メータＢを第２流路形成部材３へ向けて押圧する筒状のスライドホルダ２１と、スライドホルダ２１に螺合してスライドホルダ２１を長手方向へ駆動するロックナット２２と、支持部材１の隆起部１ｃに固定されスライドホルダ２１に係合してスライドホル２１の回転を阻止するスライドガイド２３とを有している。スライドガイド２３の一端部はロックナット２２を回転可能に且つスライドホルダ２１の移動方向に移動不能に支持している。
スライドガイド２３は筒体２３ａと、筒体２３ａの周壁に螺着して筒体２３ａを支持部材１の隆起部１ｃに螺子止め固定する螺子２３ｂ、２３ｃとを有し、螺子２３ｂの先端部が、筒体２３ａに挿入されたスライドホルダ２１の外周面に形成された縦溝２１ａに係合して、スライドホルダ２１の回転を阻止している。
スライドガイド２３は筒体２３ａの一端部周壁に螺着する螺子２３ｄを有している。スライドガイド２３は、筒体２３ａの一端部がロックナット２２の一端部を回転可能に収容し、且つ螺子２３ｄがロックナット２２の外周面に形成された周溝２２ａに係合することにより、ロックナット２２を回転可能に且つスライドホルダ２１の移動方向に移動不能に支持している。
スライドガイド２３の筒体２３ａは棒材を切削加工することにより形成されている。
スライドガイド２３の他端部に、エルボ継手４の一端部が回転可能に連結されている。エルボ継手４の一端部にスライドホルダ２１の他端部が摺動可能に挿入されている。エルボ継手４の一端部とスライドホルダ２１の他端部との摺接部はＯリングによりシールされている。
外周面に周溝４ａが形成されたエルボ継手４の一端部が、内周面に周溝２３ｅが形成された筒体２３ａの他端近傍部まで、筒体２３ａの他端から挿入され、エルボ継手の周溝４ａと筒体２３ａの周溝２３ｅとに止め輪５が係合することにより、エルボ継手４の一端部はスライドガイドの筒体２３ａの他端部に回転可能に連結されている。スライドガイド２３は筒体２３ａの他端部周壁に螺着する螺子２３ｆを有している。螺子２３ｆの先端部がエルボ継手４の一端部に当接して、エルボ継手４を所定の回転位置に保持している。筒体２３ａの他端部内周面が他端へ向けて拡径する漏斗状の斜面２３ｇを形成している。
エルボ継手４の他端部に、減圧弁Ｃが取り付けられている。
【０００９】
図３に示すように、第２流路形成部材３は、水道メータＢの他方の接続用螺子部端面Ｂ２に一端部の端面が当接して水道メータＢを第１流路形成部材２へ向けて押圧する筒状のホルダ３１と、支持部材１の隆起部１ｄに螺子止め固定されホルダ３１の他端部を収容し、ホルダ３１を摺動回転可能に且つ長手方向に移動不能に支持する筒状のホルダガイド３２とを有している。
ホルダガイド３２は一端部周壁に螺着する螺子３２ａを有しており、螺子３２ａの先端部がホルダガイド３２に収容されたホルダ３１の他端部外周面に形成された周溝３１ａに係合することにより、ホルダガイド３２は、ホルダ３１を摺動回転可能に且つ長手方向に移動不能に支持している。ホルダ３１の他端部とホルダガイド３２の一端部との摺接部は、Ｏリングによりシールされている。
ホルダガイド３２内に逆止弁体Ｄが配設されている。
ホルダガイド３２の他端部に、エルボ継手６の一端部が回転可能に且つ所定回転位置に保持可能に連結されている。エルボ継手６の一端部は、エルボ継手４がスライドガイド２３に連結されたのと同様の態様で、ホルダガイド３２に連結されている。
エルボ継手７の他端部に、二次継手Ｅが連結されている。
【００１０】
水道メータ設置ユニットＡの作動を説明する。
ロックナット２２を手動で回転させて、スライドホルダ２１の一端部とホルダ３１の一端部との間の隙間を拡大させる。水道メータＢをスライドホルダ２１の一端部とホルダ３１の一端部との間の隙間に入れ、他方の接続用螺子部端面Ｂ２をホルダ３１の一端部の端面に当接させ、次いでロックナット２２を手動で回転させて、スライドホルダ２１の一端部とホルダ３１の一端部との間の隙間を縮小させ、スライドホルダ２１の一端部の端面を水道メータＢの一方の接続用螺子部端面Ｂ１に当接させて、水道メータＢをホルダ３１へ向けて押圧する。スライドホルダ２１の一端部の端面下部に形成した張出部とホルダ３１の一端部の端面下部に形成した張出部とで重量が支えられた状態で、水道メータＢは第１流路形成部材２と第２流路形成部材３とにより挟持される。
スライドホルダ２１の一端部の端面とホルダ３１の一端部の端面とが水道メータＢの一方の接続用螺子部端面Ｂ１と他方の接続用螺子部端面Ｂ２とに圧接することにより、水道メータＢと第１流路形成部材２との接続部及び水道メータＢと第２流路形成部材３との接続部からの漏水が防止される。
【００１１】
水道メータ設置ユニットＡにおいては、水道メータＢからスライドホルダ２１に働く圧接反力は、スライドホルダ２１、ロックナット２２、スライドガイド２３を経て支持部材１に伝達され、第１流路形成部材２に隣接して配設される減圧弁Ｃには伝達されない。従って、減圧弁Ｃの固定部を支持部材１に形成する必要はなく、支持部材１の構造が特許文献１、２に比べて単純化され、ひいては水道メータ設置ユニットＡの構造が特許文献１に比べて単純化される。
スライドガイド２３の筒体２３ａを支持部材１に固定する螺子２３ｂの先端を、スライドホルダ２１に形成された縦溝２１ａに係合させてスライドホルダ２１の回転を阻止することにより、筒体２３ａにスライドホルダ２１の回転を止めるためのキーを形成する必要がなくなり、筒体２３ａひいてはスライドガイド２３の構成を単純化できる。
キーを有さない単純形状の筒体２３ａは、鋳造形成する必要がなく、棒材を切削加工することにより容易に形成することができる。キーを有する筒体は高価な鋳造形成体とせざるを得ないが、棒材の切削加工により形成される筒体は安価である。
エルボ継手４の他端部には、減圧弁Ｃが接続されているが、エルボ継手４は回転可能且つ所定回転位置に保持可能なので、障害物等を避けて減圧弁Ｃを設置し、或いは上流側の配管に合わせて減圧弁の設置位置を変更する等、減圧弁の設置自由度が高まる。
エルボ継手４を第１流路形成部材２に連結する際には、エルボ継手４の周溝４ａに止め輪５を外嵌合させ、エルボ継手４の一端部をスライドガイドの筒体２３ａの他端部に押し込む。止め輪５は筒体２３ａの他端部内周面の斜面２３ｇに沿って移動する際に弾性変形して縮径し、筒体２３ａの周溝２３ｅまで到達すると元の径まで復元し、エルボ継手４の周溝４ａと筒体２３ａの周溝２３ｅとに係合する。この結果、筒体２３ａの他端部にエルボ継手４の一端部が回転可能に連結され、ひいては第１流路形成部材２にエルボ継手４が回転可能に連結される。エルボ継手４の周溝４ａに止め輪５を外嵌合させ、エルボ継手４の一端部をスライドガイドの筒体２３ａの他端部に押し込むだけで、止め輪５をエルボ継手４の周溝４ａと筒体２３ａの周溝２３ｅとに係合せることができるので、筒体２３ａの他端部とエルボ継手４との連結作業、ひいては第１流路形成部材２とエルボ継手４との連結作業が容易化される。
【産業上の利用可能性】
【００１２】
本発明は、水道メータ設置ユニットに広く利用可能である。
【図面の簡単な説明】
【００１３】
【図１】本発明の実施例に係る水道メータ設置ユニットの断面図である。
【図２】図１の部分拡大図である。
【図３】図１の部分拡大図である。
【符号の説明】
【００１４】
Ａ  水道メータ設置ユニット
Ｂ  水道メータ
Ｃ  減圧弁
Ｄ  逆止弁体
Ｅ  二次継手
１  支持部材
２  第１流路形成部材
３  第２流路形成部材
４、６  エルボ継手
４ａ  周溝
５  止め輪
２１  スライドホルダ
２１ａ  縦溝
２２  ロックナット
２２ａ  周溝
２３  スライドガイド
２３ａ  筒体
２３ｂ、２３ｃ、２３ｄ、２３ｆ  螺子
２３ｅ  周溝
２３ｇ  斜面
３１  ホルダ
３２  ホルダガイド
【図１】
2007322387.tif 000003
【図２】
2007322387.tif 000004
【図３】
2007322387.tif 000005